【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
操作入力を受け付ける操作受付手段と、
複数の画像を記憶する画像記憶手段と、
前記画像記憶手段に記憶されている複数の画像に対応する縮小画像を記憶する縮小画像記憶手段と、
少なくとも一覧画像表示領域および画像表示領域を含む表示領域において前記縮小画像記憶手段に記憶されている縮小画像のうちの少なくとも２つ以上の縮小画像を一覧画像として所定の順序で前記一覧画像表示領域に描画するとともに前記画像記憶手段に記憶されている画像のうちの少なくとも１つの画像を前記所定の順序で前記画像表示領域に描画する描画手段と、
前記操作受付手段により所定の操作入力が受け付けられた場合には前記一覧画像表示領域の所定方向の長さを変更するように前記描画手段に描画させる制御手段と
を具備する情報処理装置。
【請求項２】
前記制御手段は、前記操作受付手段により前記所定の操作入力が受け付けられた場合には前記一覧画像表示領域を前記画像表示領域側に拡大させて当該一覧画像表示領域に含まれる一覧画像の数を増加させるように前記描画手段に描画させる請求項１記載の情報処理装置。
【請求項３】
前記制御手段は、前記操作受付手段により前記所定の操作入力が受け付けられた場合には前記一覧画像表示領域の前記画像表示領域側への拡大に応じて前記画像表示領域に含まれる画像を縮小するように前記描画手段に描画させる請求項２記載の情報処理装置。
【請求項４】
前記描画手段は、前記一覧画像表示領域および前記画像表示領域を隣り合う略矩形状の領域として描画し、
前記制御手段は、前記一覧画像表示領域における前記画像表示領域に隣接する端部を前記画像表示領域側に移動させる操作入力が前記操作受付手段により受け付けられた場合には当該操作入力に応じて当該端部を移動させて前記一覧画像表示領域を拡大させるように前記描画手段に描画させる
請求項１記載の情報処理装置。
【請求項５】
前記描画手段は、前記一覧画像表示領域に前記一覧画像をマトリクス状に配置して描画し、
前記制御手段は、前記端部を前記画像表示領域側に移動させる操作入力が前記操作受付手段により受け付けられた場合には当該操作入力に応じて前記一覧画像表示領域に含まれる一覧画像の数を列単位または行単位で増加させるように前記描画手段に描画させる
請求項４記載の情報処理装置。
【請求項６】
前記制御手段は、前記端部を前記画像表示領域側に移動させる操作入力が前記操作受付手段により受け付けられた場合において当該画像表示領域側への移動が所定の距離に達しない場合には前記一覧画像表示領域を当該移動前の領域の大きさに戻すように前記描画手段に描画させる請求項５記載の情報処理装置。
【請求項７】
前記制御手段は、前記操作受付手段により前記所定の操作入力が受け付けられた場合には前記一覧画像表示領域を前記画像表示領域とは反対側に縮小させて当該一覧画像表示領域に含まれる一覧画像の数を減少させるように前記描画手段に描画させる請求項１記載の情報処理装置。
【請求項８】
前記制御手段は、前記操作受付手段により前記所定の操作入力が受け付けられた場合には前記一覧画像表示領域の前記反対側への縮小に応じて前記画像表示領域に含まれる画像を拡大するように前記描画手段に描画させる請求項７記載の情報処理装置。
【請求項９】
前記描画手段は、前記一覧画像表示領域および前記画像表示領域を隣り合う略矩形状の領域として描画し、
前記制御手段は、前記一覧画像表示領域における前記画像表示領域に隣接する端部を前記画像表示領域とは反対側に移動させる操作入力が前記操作受付手段により受け付けられた場合には当該操作入力に応じて当該端部を移動させて前記一覧画像表示領域を縮小させるように前記描画手段に描画させる
請求項１記載の情報処理装置。
【請求項１０】
前記描画手段は、前記一覧画像表示領域に前記一覧画像をマトリクス状に配置して描画し、
前記制御手段は、前記端部を前記反対側に移動させる操作入力が前記操作受付手段により受け付けられた場合には当該操作入力に応じて前記一覧画像表示領域に含まれる一覧画像の数を列単位または行単位で減少させるように前記描画手段に描画させる
請求項９記載の情報処理装置。
【請求項１１】
前記制御手段は、前記端部を前記反対側に移動させる操作入力が前記操作受付手段により受け付けられた場合において当該反対側への移動が所定の距離に達しない場合には前記一覧画像表示領域を当該移動前の領域の大きさに戻すように前記描画手段に描画させる請求項１０記載の情報処理装置。
【請求項１２】
操作入力を受け付ける操作受付手段と、
複数の画像を記憶する画像記憶手段と、
前記画像記憶手段に記憶されている複数の画像に対応する縮小画像を記憶する縮小画像記憶手段と、
少なくとも一覧画像表示領域および画像表示領域を含む表示領域において前記縮小画像記憶手段に記憶されている縮小画像のうちの少なくとも２つ以上の縮小画像を一覧画像として所定の順序で前記一覧画像表示領域に描画するとともに前記画像記憶手段に記憶されている画像のうちの少なくとも１つの画像を前記所定の順序で前記画像表示領域に描画する描画手段と、
前記操作受付手段により所定の操作入力が受け付けられた場合には前記一覧画像表示領域に含まれる一覧画像を所定方向に移動させるように前記描画手段に描画させる制御手段と
を具備する情報処理装置。
【請求項１３】
前記描画手段は、前記一覧画像表示領域および前記画像表示領域を隣り合う略矩形状の領域として描画し、
前記制御手段は、前記操作受付手段により前記所定の操作入力が受け付けられた場合には前記一覧画像表示領域に含まれる一覧画像を前記一覧画像表示領域および前記画像表示領域を結ぶ方向と直行する方向である直行方向に移動させるように前記描画手段に描画させる
請求項１２記載の情報処理装置。
【請求項１４】
前記制御手段は、前記一覧画像表示領域における前記直行方向の一端部を前記直行方向に移動させる操作入力が前記操作受付手段により受け付けられた場合には当該操作入力に応じて前記一覧画像表示領域に含まれる一覧画像を移動させるように前記描画手段に描画させる請求項１３記載の情報処理装置。
【請求項１５】
前記描画手段は、前記一覧画像表示領域に前記一覧画像をマトリクス状に配置して描画し、
前記制御手段は、前記一端部を前記直行方向に所定の距離だけ移動させる操作入力が前記操作受付手段により受け付けられた場合には前記一覧画像表示領域に含まれる一覧画像をアニメーションにより移動させて当該操作入力前に描画されていた一覧画像を全て変更するように前記描画手段に描画させる
請求項１４記載の情報処理装置。
【請求項１６】
前記描画手段は、前記一覧画像表示領域に前記一覧画像をマトリクス状に配置して描画し、
前記制御手段は、前記一端部を前記直行方向に移動させる操作入力が前記操作受付手段により受け付けられた場合において当該直行方向への移動が所定の距離に達しない場合には当該操作入力前に描画されていた一覧画像をアニメーションにより前記一覧画像表示領域に戻すように前記描画手段に描画させる
請求項１４記載の情報処理装置。
【請求項１７】
操作入力を受け付ける操作受付手段と、
複数の画像を記憶する画像記憶手段と、
前記画像記憶手段に記憶されている複数の画像に対応する縮小画像を記憶する縮小画像記憶手段と、
少なくとも一覧画像表示領域および画像表示領域を含む表示領域において前記縮小画像記憶手段に記憶されている縮小画像のうちの少なくとも２つ以上の縮小画像を一覧画像として所定の順序で前記一覧画像表示領域に描画するとともに前記画像記憶手段に記憶されている画像のうちの少なくとも１つの画像を前記所定の順序で前記画像表示領域に描画する描画手段と、
前記操作受付手段により所定の操作入力が受け付けられた場合には前記一覧画像表示領域の所定方向の長さを変更するように前記描画手段に描画させる制御手段と、
前記描画手段により描画された画像を表示する表示手段と
を具備する画像表示装置。
【請求項１８】
操作入力を受け付ける操作受付手順と、
画像記憶手段に記憶されている複数の画像と縮小画像記憶手段に記憶されている縮小画像であって前記複数の画像のそれぞれに対応する複数の縮小画像とについて、少なくとも一覧画像表示領域および画像表示領域を含む表示領域において前記縮小画像記憶手段に記憶されている縮小画像のうちの少なくとも２つ以上の縮小画像を一覧画像として所定の順序で前記一覧画像表示領域に描画するとともに前記画像記憶手段に記憶されている画像のうちの少なくとも１つの画像を前記所定の順序で前記画像表示領域に描画する描画手順と、
前記操作受付手順で所定の操作入力が受け付けられた場合には前記一覧画像表示領域の所定方向の長さを変更するように描画させる制御をする制御手順と
を具備する情報処理装置における制御方法。
【請求項１９】
操作入力を受け付ける操作受付手順と、
画像記憶手段に記憶されている複数の画像と縮小画像記憶手段に記憶されている縮小画像であって前記複数の画像のそれぞれに対応する複数の縮小画像とについて、少なくとも一覧画像表示領域および画像表示領域を含む表示領域において前記縮小画像記憶手段に記憶されている縮小画像のうちの少なくとも２つ以上の縮小画像を一覧画像として所定の順序で前記一覧画像表示領域に描画するとともに前記画像記憶手段に記憶されている画像のうちの少なくとも１つの画像を前記所定の順序で前記画像表示領域に描画する描画手順と、
前記操作受付手順で所定の操作入力が受け付けられた場合には前記一覧画像表示領域の所定方向の長さを変更するように描画させる制御をする制御手順と
をコンピュータに実行させるプログラム。